(57)【要約】【課題】グループに属する人を所定の人に制限することを目的とした、前記所定の人が使用する移動機の、サーバ装置群が管理するグループへの登録システムを提供する。【解決手段】サーバ装置群は、グループを開設した利用者が使用する第１の移動機からの、該グループへの移動機追加の要求に応じて、サーバ装置群内に一度だけアクセスが可能なサイトを生成し、前記サイトの場所を示す情報を第１の移動機に送信し、第２の移動機から前記サイトにアクセスがあることを、第２の移動機の前記グループへの登録条件とし、第２の移動機は、第１の移動機がディスプレイに表示する前記サイトの場所を示す情報を光学的に読み取ることで、あるいは、第１の移動機と赤外線通信若しくは近距離無線通信技術を使用した通信を行うことで、前記サイトの場所を示す情報を取得する。【選択図】図４
2010273096.tif 000002
【特許請求の範囲】
【請求項１】
ネットワークに接続し、グループを管理するサーバ装置群と、
該サーバ装置群と該ネットワーク経由で通信する移動機と、
を含むシステムであって、
サーバ装置群は、グループを開設した利用者が使用する第１の移動機から、前記グループへの移動機追加の要求を受信した場合、サーバ装置群内に一度だけアクセスが可能なサイトを生成し、前記サイトの場所を示す情報を第１の移動機に送信し、第２の移動機から前記サイトにアクセスがあることを、第２の移動機の前記グループへの登録条件とし、
第２の移動機は、第１の移動機がディスプレイに表示する前記サイトの場所を示す情報を光学的に読み取ることで、あるいは、第１の移動機と赤外線通信若しくは近距離無線通信技術を使用した通信を行うことで、前記サイトの場所を示す情報を取得する、
システム。
【請求項２】
前記サイトには有効期限が設けられており、サーバ装置群は、第２の移動機による前記サイトへのアクセスが、前記有効期限内に行われることを、第２の移動機の前記グループへの登録条件とする、
請求項１に記載のシステム。
【請求項３】
サーバ装置群は、第１の移動機から移動機追加の要求を受信した際に第１の移動機の位置情報を取得し、第２の移動機が前記サイトにアクセスした際に第２の移動機の位置情報を取得し、第１の移動機と第２の移動機が所定の範囲内に存在することを、第２の移動機の前記グループへの登録条件とする、
請求項１又は２に記載のシステム。
【請求項４】
第１の移動機の位置情報又は第２の移動機の位置情報は、サーバ装置群にアクセスした際に経由した基地局を示す情報である、
請求項３に記載のシステム。
【請求項５】
サーバ装置群は、第１の移動機からの移動機追加の要求の際に第１の移動機からパスワードを取得し、第２の移動機による前記サイトへのアクセスの際に第２の移動機から前記パスワードを受信することを、第２の移動機の前記グループへの登録条件とする、
請求項１から４のいずれか１項に記載のシステム。
【請求項６】
ネットワークに接続し、グループを管理するサーバ装置群と、該サーバ装置群に該ネットワーク経由でアクセスする移動機とを含むシステムにおける、グループへの移動機の登録方法であって、
グループを開設した利用者が使用する第１の移動機が、サーバ装置群にアクセスして、前記グループへの移動機追加を要求する第１のステップと、
サーバ装置群が、サーバ装置群内に一度だけアクセスが可能なサイトを生成し、前記サイトの場所を示す情報を第１の移動機に送信する第２のステップと、
第１の移動機がディスプレイに表示する前記サイトの場所を示す情報を第２の移動機が光学的に読み取ることで、あるいは、第１の移動機と第２の移動機が、赤外線通信若しくは近距離無線通信技術を使用した通信を行うことで、第２の移動機が前記サイトの場所を示す情報を取得する第３のステップと、
第２の移動機が、取得した前記サイトにアクセスする第４のステップと、
サーバ装置群が、前記サイトにアクセスした第２の移動機を、前記グループに登録する第５のステップと、
を備えている方法。
【請求項７】
前記サイトには有効期限が設けられており、
サーバ装置群は、第４のステップが前記有効期限内に行われることを、第２の移動機の前記グループへの登録条件とする、
請求項６に記載の方法。
【請求項８】
サーバ装置群は、第１のステップにおいて第１の移動機の位置情報を取得し、第４のステップにおいて第２の移動機の位置情報を取得し、第１の移動機と第２の移動機が所定の範囲内に存在することを、第２の移動機の前記グループへの登録条件とする、
請求項６又は７に記載の方法。
【請求項９】
サーバ装置群は、第１のステップにおいて第１の移動機からパスワードを取得し、第４のステップにおいて第２の移動機から前記パスワードを受信することを、第２の移動機の前記グループへの登録条件とする、
請求項６から８のいずれか１項に記載の方法。
【発明の詳細な説明】
【技術分野】
【０００１】
本発明は、サーバ装置群がグループを管理するシステムにおいて、該グループに参加する利用者が使用する移動機をサーバ装置群に通知する技術に関し、例えば、グループ内で情報を共有するためのシステムに適用される。
【背景技術】
【０００２】
複数の人の間で情報の共有を行うための、所謂、コミュニティサービスがネットワーク上で提供されている。（例えば、非特許文献１及び２、参照。）。
【先行技術文献】
【非特許文献】
【０００３】
【非特許文献１】“［ｍｉｘｉ］ミクシィについて”、［ｏｎｌｉｎｅ］、株式会社  ミクシィ、［平成２１年４月９日検索］、インターネット＜ＵＲＬ：ｈＴＴＰ：／／ｍｉｘｉ．ｊｐ／ＡＢＯＵＴ．ｐｌ＞
【非特許文献２】“ドコモコミュニティ｜サービス・機能｜ＮＴＴドコモ”、［ｏｎｌｉｎｅ］、株式会社  エヌ・ティ・ティ・ドコモ、［平成２１年４月９日検索］、インターネット＜ＵＲＬ：ｈＴＴＰ：／／ｗｗｗ．ｎｔｔｄｏｃｏｍｏ．ｃｏ．ｊｐ／ｓｅｒｖｉｃｅ／ｍａｉｌ／ｄｏｃｏｍｏ＿ｃｏｍｍｕｎｉｔｙ／ｉｎｄｅｘ．ｈｔｍｌ＞
【発明の概要】
【発明が解決しようとする課題】
【０００４】
コミュニティサービスに参加して情報共有を行いたいが、情報を共有するグループに属する人を、例えば、家族や、ある特定の友人のみに限定させたいという要望が存在する。上記従来技術において、コミュニティサービスに参加する、あるいは、ある人が開示している情報にアクセスするためには、招待用の電子メールが必要であるが、招待用の電子メールアドレスが何らかの形で不特定多数の人に流通したり、招待用の電子メールを誤送信したりする可能性があり、見知らぬ人が、グループで共有している情報にアクセスする危険性がある。
【０００５】
これに対して、グループに参加する人を追加する度に、書類により、身元確認を行って手続を行うことは煩雑であり、コミュニティサービスの普及が妨げられる。
【０００６】
したがって、本発明は、サーバ装置群が管理するグループに参加する移動機を、該サーバ装置群に通知して登録させるためのシステム及び登録方法を提供し、これにより、サーバ装置群を利用して情報をグループ内で共有するシステム等において、グループに属する人を所定の人に制限することを目的とする。
【課題を解決するための手段】
【０００７】
本発明は、ネットワークに接続し、グループを管理するサーバ装置群と、該サーバ装置群と該ネットワーク経由で通信する移動機とを含むシステムであって、サーバ装置群は、グループを開設した利用者が使用する第１の移動機から、前記グループへの移動機追加の要求を受信した場合、サーバ装置群内に一度だけアクセスが可能なサイトを生成し、前記サイトの場所を示す情報を第１の移動機に送信し、第２の移動機から前記サイトにアクセスがあることを、第２の移動機の前記グループへの登録条件とし、第２の移動機は、第１の移動機がディスプレイに表示する前記サイトの場所を示す情報を光学的に読み取ることで、あるいは、第１の移動機と赤外線通信若しくは近距離無線通信技術を使用した通信を行うことで、前記サイトの場所を示す情報を取得することを特徴とする。
【０００８】
また、本発明は、ネットワークに接続し、グループを管理するサーバ装置群と、該サーバ装置群に該ネットワーク経由でアクセスする移動機とを含むシステムにおける、グループへの移動機の登録方法であって、グループを開設した利用者が使用する第１の移動機が、サーバ装置群にアクセスして、前記グループへの移動機追加を要求する第１のステップと、サーバ装置群が、サーバ装置群内に一度だけアクセスが可能なサイトを生成し、前記サイトの場所を示す情報を第１の移動機に送信する第２のステップと、第１の移動機がディスプレイに表示する前記サイトの場所を示す情報を第２の移動機が光学的に読み取ることで、あるいは、第１の移動機と第２の移動機が、赤外線通信若しくは近距離無線通信技術を使用した通信を行うことで、第２の移動機が前記サイトの場所を示す情報を取得する第３のステップと、第２の移動機が、取得した前記サイトにアクセスする第４のステップと、サーバ装置群が、第１の移動機からの移動機追加の要求に応じて生成したサイトにアクセスした第２の移動機を、前記グループに登録する第５のステップとを備えていることを特徴とする。
【０００９】
本発明の他の実施形態によれば、
前記サイトには有効期限が設けられており、サーバ装置群は、第２の移動機による前記サイトへのアクセスが、前記有効期限内に行われることを、第２の移動機の前記グループへの登録条件とすることも好ましい。
【００１０】
また、本発明における他の実施形態によれば、
サーバ装置群は、第１の移動機から移動機追加の要求を受信した際に第１の移動機の位置情報を取得し、第２の移動機が前記サイトにアクセスした際に第２の移動機の位置情報を取得し、第１の移動機と第２の移動機が所定の範囲内に存在することを、第２の移動機の前記グループへの登録条件とすることも好ましい。
【００１１】
さらに、本発明における他の実施形態によれば、
第１の移動機の位置情報又は第２の移動機の位置情報は、サーバ装置群にアクセスした際に経由した基地局を示す情報であることも好ましい。
【００１２】
さらに、本発明における他の実施形態によれば、
サーバ装置群は、第１の移動機からの移動機追加の要求の際に第１の移動機からパスワードを取得し、第２の移動機による前記サイトへのアクセスの際に第２の移動機から前記パスワードを受信することを、第２の移動機の前記グループへの登録条件とすることも好ましい。
【発明の効果】
【００１３】
一度だけアクセス可能なサイトを生成して、グループ開設者の移動機に、このサイトの場所を示す情報を送信し、このサイトにアクセスした移動機を、当該グループの一員として登録する。本システムにおいて、ある移動機が、前記サイトの場所を示す情報をグループ開設者の移動機から取得するには、グループ開設者の移動機に近接した場所に配置して操作することが必要であるため、前記サイトにアクセスした移動機の使用者は、グループ開設者により参加を承認された者であると判定することができる。よって、情報を共有するグループに属する人を所定の人に制限し、許可されていない人が当該グループの共有情報にアクセスすることを防ぐことができる。
【図面の簡単な説明】
【００１４】
【図１】本発明によるシステムの構成図である。
【図２】本発明による移動機の構成図である。
【図３】本発明によるサーバ装置群の構成図である。
【図４】グループに子参加者を参加させるためのシーケンス図である。
【発明を実施するための形態】
【００１５】
本発明を実施するための形態について、以下では図面を用いて詳細に説明する。なお、本発明において、グループを開設し、他の人をグループに招待する人を親参加者と呼び、親参加者からのグループ参加要請を承諾してグループに参加する人を子参加者と呼ぶものとする。
【００１６】
図１は、本発明によるシステムの構成図である。図１に示す様に、システムは、移動機１及び移動機２と、サーバ装置群３と、ネットワーク４とを含んでいる。ここで、移動機１及び２は、無線によりネットワーク４にアクセスする携帯端末である。なお、本実施形態においては、移動機１が親参加者の携帯端末であり、移動機２が子参加者の携帯端末であるものとする。
【００１７】
サーバ装置群３は、１つ以上のコンピュータで構成され、ネットワーク４経由で、移動機１及び２と通信可能な様に構成さている。サーバ装置群３は、コミュニティサービスを提供するものであり、グループ、各グループの共有情報、各グループの共有情報にアクセスできる移動機を管理している。ある移動機が、あるグループの共有情報へのアクセス要求をサーバ装置群３に行った場合、サーバ装置群３は、アクセス要求に含まれる、この移動機固有の値により、この移動機が当該グループに属するものであるか否かを判定し、属する場合にのみ当該共有情報へのアクセスを許可する。
【００１８】
図４は、親参加者が開設したグループに子参加者を参加させるためのシーケンス図である。まず、親参加者が、移動機１を操作して、子参加者追加のための所定のサイトにアクセスし、所定の操作を行う（Ｓ１）。なお、このサイトはサーバ装置群３のいずれかのコンピュータ上に開設されている。サーバ装置群３は、移動機１からの子参加者追加の要求に応じて、一度だけアクセスでき、有効期限を有するサイトをサーバ装置群３内のいずれかのコンピュータ上に開設（Ｓ２）し、このサイトの場所を示すＵＲＬ（Ｕｎｉｆｏｒｍ  Ｒｅｓｏｕｒｃｅ  Ｌｏｃａｔｏｒ）、つまり、ワンタイムＵＲＬを移動機１に送信する（Ｓ３）。なお、このときサーバ装置群３は、移動機１が経由している基地局を調べ、この基地局の識別子を、移動機１の位置情報として取得し、生成したワンタイムＵＲＬを、移動機１の位置情報に関連付けし、ワンタイムＵＲＬの有効期限と共に保存する。なお、移動機１の位置情報については、移動機１がＧＰＳ機能により実際の位置を示す情報を取得し、サーバ装置群３が移動機１から取得する形態であっても良い。
【００１９】
親参加者は、自身が開設したグループに参加させたい子参加者が所有する移動機２に、移動機１が受信したワンタイムＵＲＬを出力し、移動機２は、このワンタイムＵＲＬを取得する（Ｓ４）。以下に、移動機２が、移動機１からワンタイムＵＲＬを取得する形態について説明する。第１の形態は、サーバ装置群３が、ワンタイムＵＲＬを、ＱＲコード（登録商標）等の２次元バーコードの形態で移動機１に通知し、移動機１は、この２次元バーコードをディスプレイに表示し、移動機２は、移動機１のディスプレイに表示されている２次元バーコードを読み取ることで、ワンタイムＵＲＬを取得するものである。第２の形態は、サーバ装置群３が、ワンタイムＵＲＬを、２値データの形態で移動機１に通知し、移動機１は、この２値データを赤外線通信又は近距離無線通信技術による通信により移動機２に直接送信し、これにより、移動機２は、ワンタイムＵＲＬを直接取得するものである。なお、近距離無線通信技術としては、公称最大到達距離が１０ｍ以内のものが好ましく、例えば、通信距離が３ｃｍ程度であるＴｒａｎｓｆｅｒＪｅｔ等を使用することができる。なお、移動機１と移動機２との間でのワンタイムＵＲＬの授受は、移動機１及び移動機２を、近接した位置に配置し、移動機１及び２の利用者による明示的な操作が行われたときのみ可能な方法であれば良く、上述した形態には限定されない。
【００２０】
子参加者は、移動機１からワンタイムＵＲＬを取得した後、移動機２を操作してワンタイムＵＲＬが示すサイトにアクセスし、グループへの参加のための所定の操作を行う（Ｓ５）。このとき、サーバ装置群３は、移動機２が経由している基地局の情報を、移動機２の位置情報として取得し、これにより、移動機１及び２が同じ基地局のエリア内に存在するか否かを判定する（Ｓ６）。移動機２が、グループへの参加のための所定の操作を行い、かつ、移動機１及び２が同じ基地局のエリア内に存在する場合、サーバ装置群３は、移動機２を、親参加者が開設したグループの参加者として承認し、移動機２の固有値を、グループに登録する登録処理を行う（Ｓ７）。なお、移動機２の位置情報については、移動機２がＧＰＳ機能により実際の位置情報を取得してサーバ装置群３に送信する形態であっても良い。また、移動機がＧＰＳによる位置情報をサーバ装置群３に送信する形態の場合には、移動機１及び２が同じ基地局のエリア内に存在するとの条件に代えて、移動機１と２の距離が所定値以内であるとの条件を適用することもできる。
【００２１】
なお、サーバ装置群３は、開設したサイトの有効期限が経過した場合、あるいは、移動機２がこのサイトにアクセスした場合、このサイトを削除する。
【００２２】
以上、一度だけアクセス可能なサイトを生成して、親参加者の移動機１にこのサイトのＵＲＬを送信し、このＵＲＬにアクセスした移動機２を、移動機１の利用者が開設したグループの一員として登録する。本システムにおいて、移動機２が前記ＵＲＬを取得するには、移動機１に近接し、両移動機にてＵＲＬ授受のための操作が行われることが必要であるため、前記ＵＲＬにアクセスした移動機２の利用者は、移動機１の利用者により参加を承認されたものであると判定でき、これにより、見知らぬ第３者がグループに参加することを防ぐことができる。
【００２３】
また、サーバ装置群３においても、サイトにアクセスした移動機２と、このサイトのＵＲＬの送信先であった移動機１とが所定の範囲内に存在することを確認し、所定の範囲内に存在する場合にのみ、移動機１により開設されたグループへの移動機２の参加を承認することで、見知らぬ第３者がグループに参加してしまうことを、より確実に防ぐことができる。さらに、開設したサイトに有効期限を設け、有効期限以降にはアクセスできないようにする等、有効期限内にアクセスがあることをグループへの登録条件とすることで、移動機２が、当該サイトにアクセスしなかった場合において、第３者がこのサイトにアクセスしてしまう危険性を低減することができる。
【００２４】
なお、上記形態は、移動機１及び２が所定の距離内に存在することをサーバ装置群３側で確認するものであったが、これに代えて、あるいは、これに加えてパスワードを使用することもできる。以下に、パスワードを使用する場合の変更点について、図４を用いて説明する。
【００２５】
親参加者は、Ｓ１において、移動機１を操作して、親参加者が任意に決めたパスワードをサーバ装置群３に送信する。サーバ装置群３は、移動機１に送信したワンタイムＵＲＬを、移動機１から受信した前記パスワードに関連付けして保存する。子参加者は、Ｓ５において、移動機２を操作してワンタイムＵＲＬが示すサイトにアクセスした際に、併せて、親参加者から取得したパスワードを、サーバ装置群３に送信する（Ｓ５）。サーバ装置群３は、受信したパスワードが、アクセスされたＵＲＬに関連付けして保存しているパスワードに一致することを、移動機２の移動機１が開設したグループへの登録条件とする。
【００２６】
以上、パスワードを利用することで、さらに、第３者がグループに参加する危険性を低減することができる。
【００２７】
図２は、本発明によるシステムで使用する移動機１の構成図である。なお、図２は、本発明の説明に必要な部分のみを示すものである。図２に示す様に、移動機１は、通信部１０と、ワンタイムＵＲＬ出力部１１と、ワンタイムＵＲＬ取得部１２とを備えている。通信部１０は、ネットワーク４経由でサーバ装置群３と通信するものであり、ワンタイムＵＲＬ出力部１１は、サーバ装置群３から取得したワンタイムＵＲＬを、他の移動機に出力するものであり、ワンタイムＵＲＬ取得部１２は、他の移動機からワンタイムＵＲＬを取得するものである。例えば、ワンタイムＵＲＬの授受に２次元バーコードを使用する場合、ワンタイムＵＲＬ出力部１１は、取得した２次元バーコードをディスプレイに表示するものであり、ワンタイムＵＲＬ取得部１２は、２次元バーコードを光学的な方法にて認識し、復号するものである。また、ワンタイムＵＲＬの授受に無線又は光通信を使用する場合、ワンタイムＵＲＬ出力部１１は、ワンタイムＵＲＬを送信する送信機であり、ワンタイムＵＲＬ取得部１２は受信機である。
【００２８】
図３は、本発明によるシステムで使用するサーバ装置群３の構成図である。なお、図３は、本発明の説明に必要な部分のみを示すものである。図３に示す様に、サーバ装置群３は、通信部２０と、ワンタイムＵＲＬ生成部２１と、保存部２２と、判定部２３と、登録部２４とを備えている。通信部２０は、ネットワーク４経由で移動機と通信するものであり、ワンタイムＵＲＬ生成部２１は、ワンタイムＵＲＬと、このＵＲＬに対応するサイトを生成し、移動機に、通信部２０経由で、ワンタイムＵＲＬを通知し、保存部２２は、生成したワンタイムＵＲＬを、ワンタイムＵＲＬを送信した移動機の位置情報や、この移動機から受信したパスワードに関連付けして保存するものである。さらに、判定部２３は、ある移動機が、ワンタイムＵＲＬにより特定されるサイトにアクセスした場合、この移動機の、当該ワンタイムＵＲＬの送信先である移動機が開設したグループへの参加を、移動機の位置や、パスワードの一致により判定するものであり、登録部２４は、ある移動機のあるグループへの参加を承認する場合、この移動機の固有値を、グループに登録するものである。なお、サーバ装置群３は、各移動機による、各グループの情報へのアクセス可否の判断を、移動機の固有値に基づき判定する。
【符号の説明】
【００２９】
１、２  移動機
３  サーバ装置群
４  ネットワーク
１０、２０  通信部
１１  ワンタイムＵＲＬ出力部
１２  ワンタイムＵＲＬ取得部
２１  ワンタイムＵＲＬ生成部
２２  保存部
２３  判定部
２４  登録部
【図１】
2010273096.tif 000003
【図２】
2010273096.tif 000004
【図３】
2010273096.tif 000005
【図４】
2010273096.tif 000006